(57)【要約】【課題】製造工程の効率化を図りつつ、遊技盤表面の装飾性を向上させるように構成した遊技機を提供する。【解決手段】パチンコ機１が、例えば、入賞口２６ａ，２６ｂと、これらの基部を支持する板状部材６５ｂとで一体化されて形成されるユニット部材２９ｂを備え、該ユニット部材２９ｂは透明部材により形成されることから、遊技領域側の面に配置された図柄を透過させるように固着されてなる。これにより、遊技中の遊技者は、遊技盤における遊技領域側の表面にプリントされたセルの図柄を、ユニット部材２９ｂを通して視認できるようになる。【選択図】図５
2008161464.tif 000002
【特許請求の範囲】
【請求項１】
遊技盤に形成される遊技領域に遊技球を打ち出して遊技してなる遊技機において、
前記遊技盤から前記遊技領域側に突出した開口を有し、該遊技領域に打ち出された遊技球が該開口に入球することを契機として賞球に係る入賞が行われる入賞口と、
前記少なくとも１つの入賞口を有し、該入賞口の基部が板状部材に一体化されて形成される入賞口ユニットと、を備え、
前記入賞口ユニットは、前記入賞口及び前記板状部材が透明部材により形成され、且つ該板状部材が前記遊技盤における前記遊技領域側の面に配置された図柄を透過させるように固着されてなる、
ことを特徴とする遊技機。
【請求項２】
前記板状部材は、前記遊技盤に固着された状態での前記遊技領域側に臨む面に造形が施されてなる、
請求項１に記載の遊技機。
【請求項３】
前記入賞口は、一般入賞口、始動入賞口、及び大入賞口のうちのいずれかである、
請求項１又は２に記載の遊技機。
【発明の詳細な説明】
【技術分野】
【０００１】
本発明は、パチンコ機等の遊技機に係り、詳しくは遊技領域にユニット化された役物を備えた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
上述した従来のパチンコ機にあっては、遊技領域の中央部分にセンター飾りを備え、このセンター飾りの側部にワープ導入口を備え、このワープ導入口から入球した遊技球を始動チャッカー側に導くように転動させるステージを備えたものが存在する（特許文献１参照）。
【０００５】
【特許文献１】特開２００１−３２７６７２号公報
【発明の開示】
【発明が解決しようとする課題】
【０００６】
ところで、特許文献１に記載されたようなパチンコ機では、センター飾り下方に、遊技領域に打ち出された遊技球が入球した際に賞球が得られる一般入賞口を備えていることが一般的である。一般入賞口は、単体で遊技領域に配設されるものもあるが、複数の一般入賞口がユニット化された状態で配設されるものもある。このようにユニット化された場合には、複数の一般入賞口は薄い板状の部材と一体に成形され、該板状の部材が遊技盤に固定された状態で配設される。
【０００７】
しかし、ユニット化された一般入賞口及び板状の部材は、有色の材料で成形されているのが一般的であり、更には、その表面に図柄が印刷されたりシールが貼付されたりするような加工が施されることがあるため、ユニット化された一般入賞口及び板状の部材を遊技領域に配設すると、遊技盤表面のセルの図柄等を隠してしまい、該図柄等を装飾として生かすことができないという問題があった。
【０００８】
そこで本発明は、遊技機における製造工程の効率化を図りつつ、遊技盤表面の装飾性を向上させるように構成し、もって上述した課題を解決した遊技機を提供することを目的とするものである。
【課題を解決するための手段】
【０００９】
請求項１に係る本発明は（例えば図１ないし図９参照）、遊技盤（３）に形成される遊技領域（３ａ）に遊技球を打ち出して遊技してなる遊技機（１）において、
前記遊技盤（３）から前記遊技領域（３ａ）側に突出した開口（２５ａ´，２５ｂ´，２６ａ´，２６ｂ´）を有し、該遊技領域（３ａ）に打ち出された遊技球が該開口（２５ａ´，２５ｂ´，２６ａ´，２６ｂ´）に入球することを契機として賞球に係る入賞が行われる入賞口（２５ａ，２５ｂ，２６ａ，２６ｂ）と、
前記少なくとも１つの入賞口（例えば２５ａ，２５ｂ）を有し、該入賞口（例えば２５ａ，２５ｂ）の基部が板状部材（６５ａ，６５ｂ）に一体化されて形成される入賞口ユニット（２９ａ，２９ｂ）と、を備え、
前記入賞口ユニット（２９ａ，２９ｂ）は、前記入賞口（例えば２５ａ，２５ｂ）及び前記板状部材（６５ａ，６５ｂ）が透明部材により形成され、且つ該板状部材（６５ａ，６５ｂ）が前記遊技盤（３）における前記遊技領域（３ａ）側の面に配置された図柄を透過させるように固着されてなる、
ことを特徴とする遊技機（１）にある。
【００１０】
なお、本発明における上記透明部材の「透明」は、光透過性が極めて高い無色透明のみを意味するのではなく、光透過性があまり高くない半透明、或いは、着色された透明や半透明をも含む概念である。
【００１１】
請求項２に係る本発明は（例えば図２，３，５参照）、前記板状部材（６５ａ，６５ｂ）が、前記遊技盤（３）に固着された状態での前記遊技領域（３ａ）側に臨む面（６１ａ，６１ｂ）に造形が施されてなる、
請求項１に記載の遊技機（１）にある。
【００１２】
請求項３に係る本発明は（例えば図１，２，３及び図５参照）、前記入賞口が、一般入賞口（２５ａ，２５ｂ，２６ａ，２６ｂ）、始動入賞口（２７，２８）、及び大入賞口（５）のうちのいずれかである、
請求項１又は２記載の遊技機（１）にある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、遊技機が、賞球に係る入賞が行われる入賞口と、少なくとも１つの入賞口を有し且つ該入賞口の基部が板状部材に一体化されて形成される入賞口ユニットと、を備え、該入賞口ユニットは、入賞口及び板状部材が透明部材により形成され、且つ該板状部材が遊技領域側の面に配置された図柄を透過させるように固着されてなる。これにより、遊技中の遊技者は、遊技盤における遊技領域側の表面にプリントされたセルの図柄を、入賞口ユニットを通して視認できるようになる。従って、セルの図柄を生かすことができることから、入賞口ユニットに対して、着色、印刷、シールの貼付等の工程を加える必要がなくなり、材料の節約や製造工程の簡略化を図ることができる。また、透明な入賞口ユニットを通してセルを視認させることにより、遊技者に対していままでにない新奇な外観を提供できることから、遊技機における装飾性の向上を図ることができる。
【００１５】
請求項２に係る本発明によると、板状部材は、遊技盤に固着された状態での遊技領域側に臨む面に造形が施されてなるので、遊技中の遊技者に対し、入賞口ユニットを通してセルに描かれた図柄等を視認させる際に、セルの図柄と造形とによって装飾上の相乗効果を図ったり、セルの図柄があたかも立体的になったかのような奥行き感を提供したりすることができる。
【００１６】
請求項３に係る本発明によると、入賞口は、一般入賞口、始動入賞口、及び大入賞口のうちのいずれかであるので、各種入賞口に合わせた装飾を有効に施すことができる。
【発明を実施するための最良の形態】
【００１７】
以下、本発明に係る遊技機の実施形態として、遊技場等に設置されるパチンコ機を図面に沿って説明する。なお、後述する各実施の形態では、本発明の遊技機を所謂１種１種のパチンコ機として述べるが、本発明はこれに限らず、他の種別のパチンコ機にも適用可能であることは勿論である。なお、図１は、本発明の実施形態におけるパチンコ機１の外部構造を示す正面図である。
【００１８】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー（大入賞口）５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１９】
図１に示すように、本実施形態におけるパチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方にはスピーカー（図示せず）を有する放音装置１２がそれぞれ配設されている。また、ガラス枠１０における右側部には、前扉７を筐体６側に施錠し解放するための施錠装置１３が配設されている。なお、筐体６及び前扉７等から遊技機本体が構成されている。
【００２０】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００２１】
また、皿ユニット１６の右部には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００２２】
遊技領域３ａの中央部には、該遊技領域３ａに打ち出された遊技球の一部を導入するワープ導入口３７ａ，３７ｂを有するセンター飾り（センター役物）２３が配設されている。このセンター飾り２３の中央部分には開口部３６が形成され、かつ該開口部３６の上部中央には演出装置３３が配置され、該開口部３６の下部にはステージＳが配置されている。遊技盤３には画像表示装置３５が、開口部３６から画面３５ａを露出させた状態で遊技盤裏面から装着されている。センター飾り２３の下部左右には、大当たり抽選に寄与しない一般の入賞が行われる一般入賞口（入賞口）２５ａ，２５ｂ，２６ａ，２６ｂが配設されており、センター飾り２３の下方には、第１及び第２始動チャッカー（始動入賞口）２７，２８と、アタッカー５とが順次配設されている。
【００２３】
第１及び第２始動チャッカー２７，２８は、大当たり抽選実行の契機となり得る入賞が行われるものであり、第２始動チャッカー２８は、始動チャッカー開閉ソレノイド７０（図８参照）によって開放位置と閉止位置とに開閉動作するように作動させられる。第１始動チャッカー（始動口）２７の直上方には、所謂命釘としての一対の障害釘３０が打ち込まれている。第２始動チャッカー２８は、直上方に配置された第１始動チャッカー２７の底部により、図１に示す閉塞状態では遊技球を入賞しないように構成されている。
【００２４】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２５】
遊技領域３ａには、センター飾り２３の中央部左右に風車３１が配設されており、ステージＳの下方における第１及び第２始動チャッカー２７，２８の左右には、普通図柄作動ゲート（スルーゲート）３２が配設されている。この普通図柄作動ゲート３２は、第２始動チャッカー２８を開閉動作させるための抽選の契機となる遊技球通過が行われる役物である。
【００２６】
そして、遊技領域３ａにおける普通図柄作動ゲート３２、一般入賞口２５ａ，２５ｂ，２６ａ，２６ｂ、第１及び第２始動チャッカー２７，２８等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７ａ，３７ｂの周囲及びその上方側にも、遊技球を適宜散らし、或いは入球に導くようにするための多数の障害釘が打ち込まれている。このような本パチンコ機１では、遊技領域３ａに打ち出された遊技球を第１及び第２始動チャッカー２７，２８等に、ステージＳを介して入球させ又はステージＳを介さず直接入球させ得るように遊技が進められる。
【００２７】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１及び第２始動チャッカー２７，２８方向に導く役割を担っている。
【００２８】
次に、本パチンコ機１におけるセンター飾り２３の構造を、図２ないし図６を参照して詳細に説明する。なお、図２はセンター飾り２３を遊技盤３から取り外した状態で示す正面図、図３はセンター飾り２３の前枠体２３ａを右斜め方向からやや見下ろす状態で示す斜視図、図４は図２のＡ−Ａ線に沿って断面した状態で示す側面断面図、図５はユニット部材２９ｂを単体で示す斜視図、図６はユニット部材２９ｂを単体で示す平面図である。
【００２９】
センター飾り２３は、遊技盤３に形成された開口（図示せず）を前後から挟んだ状態で、該遊技盤３の表面と裏面とにそれぞれネジ止めされた前枠体２３ａ及び後枠体２３ｂを有している。これら枠体２３ａ，２３ｂは、図２に示すように、遊技盤３を挟んで結合された状態で開口部３６を形成する。前枠体２３ａの周囲には、その複数箇所から外方に張り出すようにブラケット部５６が形成されている。
【００３０】
センター飾り２３は、図１及び図２に示すように、開口部３６の左右に形成されたワープ導入口３７ａ，３７ｂと、開口部３６の上側に配置された演出装置３３と、開口部３６の下側に設けられたステージＳと、下部中央に設けられた球放出部４９と、開口部３６の左右にそれぞれ配置された演出用照明装置５５ａ，５５ｂと、を有している。球放出部４９は、第１始動チャッカー２７の直上方に位置し、放出されて落下する遊技球が一対の障害釘３０の間を通って第１始動チャッカー２７にほぼ確実に（つまり、９７〜９９％の高確率で）入賞し得るように位置決め形成されている。
【００３１】
センター飾り２３は、開口部３６の左方に位置する上記ワープ導入口３７ａから導入される遊技球をステージＳに案内する遊技球案内路５７と、開口部３６の右方に位置する上記ワープ導入口３７ｂから導入される遊技球をステージＳに案内する遊技球案内路５８と、を有している。
【００３２】
ステージＳは、遊技球案内路５７，５８により導入された遊技球を転動させる転動路を形成する膨出部３４を有している。この膨出部３４には、遊技球案内路５７，５８から放出されて案内路４２を通過した遊技球をステージＳの反対側に通過させるように形成された転動路３４ｂと、該転動路３４ｂから落下して膨出部３４の前側の転動路４８を転動する遊技球の一部を落下させて球放出部４９に導く落下案内孔３４ａとが形成されている。
【００３３】
また、図３に示すように、センター飾り２３の前枠体２３ａは、画面３５ａの周囲に位置して被覆部材１３ａ，１３ｂ，１３ｃ，１３ｄを四隅に装着固定する固定枠部２３ｃを有している。この固定枠部２３ｃは、透明部材により形成されている。センター飾り２３における固定枠部２３ｃの後側には、演出用照明装置（照明装置）５５ａ，５５ｂが配置されている。また、センター飾り２３は、画面３５ａをその垂直線方向前側（図４の視点ｅ）から視認した際に該画面３５ａを覆う被覆部材１３ａ，１３ｂ，１３ｃ，１３ｄを有しており、これら被覆部材１３ａ〜１３ｄは全て透明部材により形成されている。これら被覆部材１３ａ〜１３ｄは、図２における開口部３６の四隅の隅部３６ａ，３６ｂ，３６ｃ，３６ｄの前側に位置するように、それぞれ固定枠部２３ｃにネジ止めにより装着されている。なお、上記垂直線方向前側の「前側」は、パチンコ機１と対座する遊技者に近い側を意味する概念である。
【００３４】
被覆部材１３ａは、画面３５ａ側の曲率中心を中心として略円弧状に描いたような形状を呈しており、隅部３６ａの前側に配置された状態で、遊技領域３ａにおける演出装置３３付近に打ち出された遊技球を左流路４ａ側に導く分割流路を内部に有している。被覆部材１３ｃは、画面３５ａ側の曲率中心を中心として略円弧状に描いたような形状を呈しており、隅部３６ｃの前側に配置された状態で、遊技領域３ａの左流路４ａを流下して風車３１等で方向を変えられて流れてくる遊技球を第１始動チャッカー２７側に導く「道釘」の役割を担う案内部１８を有している。なお、上記被覆部材１３ａの形状は被覆部材１３ｂと線対称の関係にあり、被覆部材１３ｃの形状は被覆部材１３ｄと線対称の関係にあり、構成はそれぞれ同様であるため、その説明は省略する。また、上記透明部材としては、プラスチックや強化ガラス等を採用することができる。なお、本実施形態における上記透明部材の「透明」は、光透過性が極めて高い無色透明のみを意味するのではなく、光透過性があまり高くない半透明、或いは、着色された透明や半透明をも含む概念である。
【００３５】
開口部３６の上側の隅部３６ａ，３６ｂに対向する被覆部材１３ａ，１３ｂは、それらの分割流路が、遊技領域３ａに打ち出された遊技球を流下させる左流路４ａ及び右流路４ｂの一部としてそれぞれ機能する。つまり、図１において、ガイドレール１４に沿って遊技領域３ａに打ち出された遊技球は、通常であればセンター飾り２３の上部近傍の障害釘（図示せず）に当接して流下することになるが、本パチンコ機１では、従来に比して大型の画面３５ａを有する画像表示装置３５を装備する関係上、遊技盤３がセンター飾り２３の左右上部付近まで切除された大型の画面露出用の開口部３６となっている。このため、遊技盤３におけるセンター飾り２３の左上部付近は、図２に破線で示すように、上記した開口部３６の隅部３６ａ，３６ｂとして形成されるため障害釘は打ち込まれず、従って、被覆部材１３ａ，１３ｂが配設されて上記分割流路が配置されることになる。
【００３６】
また、開口部３６の下側の隅部３６ｃ，３６ｄに対向する被覆部材１３ｃ，１３ｄは、それらの案内部１８が、遊技領域３ａに打ち出された遊技球を第１始動チャッカー２７側に導く道釘の一部として機能する。図１に図示はしていないが、実際には、遊技領域３ａにおいて、被覆部材１３ｃ，１３ｄ側から第１始動チャッカー２７に向かうように多数の障害釘が上下２段の列状に打ち込まれて上下２列の道釘を形成しており、被覆部材１３ｃ，１３ｄの各案内部１８は、上段側の道釘に繋がるように配置される。このような被覆部材１３ｃ，１３ｄに関しても、被覆部材１３ａ，１３ｂと同様、大型の画面３５ａを有する画像表示装置３５を装備する関係上、遊技盤３がセンター飾り２３の左右下部付近まで切除された開口部３６となっているため、センター飾り２３の左右下部付近は、図２に示すように、上記した隅部３６ｃ，３６ｄとして形成されるため障害釘は打ち込まれず、従って、被覆部材１３ｃ，１３ｄが配設されて上記案内部１８が配置されることになる。
【００３７】
また、図２及び図３に示すように、センター飾り２３の左右下方には、このセンター飾り２３とは別個に遊技盤３に装着固定されるユニット部材（入賞口ユニット）２９ａ，２９ｂが配置されている。ユニット部材２９ａは、左流路４ａを流下する遊技球の一部を弾接させて、上述した下段側の道釘（図示せず）に導く道釘として機能する案内部２４ａと、一般入賞口２５ａ，２５ｂと、これらの基部を支持する板状部材６５ａと、を一体に有している。また、ユニット部材２９ｂは、右流路４ｂを流下する遊技球の一部を弾接させて、下段側の道釘（図示せず）に導く道釘として機能する案内部２４ｂと、一般入賞口２６ａ，２６ｂと、これらの基部を支持する板状部材６５ｂと、を一体に有している。そして、ユニット部材２９ａは、貫通孔６３ａをネジ止めすることで遊技盤３に固定され、ユニット部材２９ｂは、貫通孔６３ｂをネジ止めすることで遊技盤３に固定される。
【００３８】
また、上記板状部材６５ａは、平面（面）６１ａと立ち上り面６２ａとを有してなり、上記板状部材６５ｂは、平面（面）６１ｂと立ち上り面６２ｂとを有してなる。更に、上記一般入賞口２５ａ，２５ｂは、遊技盤３から遊技領域３ａ側に突出した開口２５ａ´，２５ｂ´を有してなり、上記一般入賞口２６ａ，２６ｂは、同じく遊技盤３から突出した開口２６ａ´，２６ｂ´を有してなる。
【００３９】
図５に示すように、ユニット部材２９ｂは、センター飾り２３の正面視右下部からセンター飾り２３の中央下方に向けて、流れるような曲線形状に形成されている。そして、案内部２４ｂと一般入賞口２６ａ，２６ｂとは、板状部材６５ｂにより滑らかに一体成形され、案内部２４ｂの直下方で板状部材６５ｂの端部にはイルカの造形が施されている。また、板状部材６５ｂは、約１〜２ｍｍの厚さを有し、周囲の遊技盤面から該板状部材６５ｂの表面をなす平面６１ｂの周縁までは傾斜しながら立ち上る立ち上り面６２ｂが形成されている。なお、上記ユニット部材２９ｂの形状はユニット部材２９ａと線対称の関係にあり、構成はそれぞれ同様であるためユニット部材２９ａの説明は省略し、図５及び図６のように特に拡大表示はしない。
【００４０】
板状部材６５ｂは、プラスチック等の合成樹脂からなる透明部材から形成されることから、遊技盤３の表面にプリントされたセルの図柄、例えば海中をイメージした青いグラデーション模様の図柄（不図示）が、遊技中の遊技者から視認されることとなる。また、平面６１ｂには、前述したイルカの造形に向ういくつもの筋状の線が入り、該筋状の線に挟まれた領域は横断面がなだらかなカマボコ型に形成されることから波をイメージし得る形状となっている。これにより、造形のイルカが、前述した遊技盤３のセルの図柄と相俟って、あたかも海中を泳いでいるかのような雰囲気を遊技者に与えるものとなり、パチンコ機１における装飾性が向上される。
【００４１】
また、遊技領域３ａのうち、板状部材６５ｂが配設された範囲の領域は、該板状部材６５ｂに厚みがあることから、他の板状部材６５ｂが配設されていない領域に比して遊技領域３ａ中の奥行き方向の幅（例えば図１の正面視奥行き方向）が狭くなっている。これにより、落下してくる遊技球が板状部材６５ｂの立ち上り面６２ｂに当接するなどしてその落下速度が一時的に弱められるようになり、該遊技球がユニット部材２９ｂから大きく跳躍することが少なくなり、落下してきた遊技球が一般入賞口２６ａ，２６ｂに対して絡み易くなる。
【００４２】
また、一般入賞口２６ａ，２６ｂと板状部材６５ｂとは、ユニット部材２９ｂとして一体化されているため、落下してくる遊技球が一般入賞口２６ａ，２６ｂに対して勢いよく当接した際にあっても応力がその支持部に集中しないため、一般入賞口２６ａ，２６ｂの破損や損壊を抑制することができる。
【００４３】
ついで、本パチンコ機１の背面構造について図７を参照して説明する。同図は、本パチンコ機１の背面構造を示す背面図である。
【００４４】
すなわち、図７に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００４５】
次に、本実施形態におけるパチンコ機１の制御系を図８に沿って説明する。なお、同図は本パチンコ機の制御系を示すブロック図である。
【００４６】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置８，１１、画像表示装置３５、及び演出用照明装置５５ａ，５５ｂと、を備えている。
【００４７】
遊技制御装置８０は、図７に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４８】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００４９】
入賞判定手段８１は、発射ハンドル２の操作で作動する発射装置（図示せず）によって遊技領域３ａに打ち出された遊技球が第１及び第２始動チャッカー２７，２８、一般入賞口２５ａ，２５ｂ，２６ａ，２６ｂ、アタッカー５等の何れかに入賞したとき、当該入賞があった旨を判定する。
【００５０】
入賞信号出力手段８２は、入賞判定手段８１によって入賞が判定されたとき、対応する第１及び第２始動チャッカー２７，２８、一般入賞口２５ａ，２５ｂ，２６ａ，２６ｂ、アタッカー５等に入賞した旨の入賞信号を出力する。
【００５１】
第１抽選手段８３及び第２抽選手段８４は、それぞれ、入賞信号出力手段８２からの第１及び第２始動チャッカー２７，２８に対応する入賞信号の入力時、合計の最大保留球数未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選（特別遊技状態の抽選）を実行する。
【００５２】
そして第１及び第２抽選手段８３，８４は、それぞれ、大当たり抽選で確変当たりに当選した場合、不図示の演出用メモリに格納された演出乱数値に基づく抽選で、変動の結果、確変当たりに対応する「１１１」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００５３】
また第１及び第２抽選手段８３，８４は、それぞれ、大当たり抽選で通常当たりが当選した場合に、演出乱数値に基づく抽選で、変動の結果、通常当たりに対応する「２２２」等の図柄が大当たり有効ライン上で最終的に揃う旨の変動パターンを決定し、その旨の変動パターン信号を出力する。更に第１及び第２抽選手段８３，８４は、それぞれ、大当たり抽選で外れた場合に、演出乱数値に基づく抽選で、変動の結果、外れに対応する「２５２」等の図柄が大当たり有効ライン上で最終的に揃う旨の変動パターンを決定し、その旨の変動パターン信号を出力する。
【００５４】
普通図柄抽選手段９４は、第２始動チャッカー２８を開閉動作させるための普通図柄抽選を、普通図柄作動ゲート３２への遊技球通過を契機として行う。
【００５５】
遊技制御手段８６は、放音装置１２、演出用照明装置８，１１、演出用照明装置５５ａ，５５ｂに放音、発光の演出をさせる契機となる指令を、演出制御手段９１に送る。また、遊技制御手段８６は、予め設定された演出データや、第１及び第２抽選手段８３，８４での抽選結果に応じて、画像表示装置３５に表示すべき大当たり抽選に関連する演出内容に関する信号を表示制御手段９２に送る。
【００５６】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、大当たり抽選保留表示装置（図示せず）に、始動チャッカー２７，２８双方での合計が例えば最大４個の保留球となるように点灯表示される。保留手段８７は、合計の保留球数が例えば４個になっているか否かを常時判定し、保留球数が４個表示されている間は、第１、第２始動チャッカー２７，２８への入賞に拘わらず大当たり抽選は行わない。なお、保留球として点灯表示される保留球数は上記「最大４個」に限らず、例えば３個以下、又は５個以上として適宜設定することも可能である。
【００５７】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が例えば４個未満となった場合、第１、第２抽選手段８３，８４で行われる第１、第２始動チャッカー２７，２８への入賞に応答した大当たり抽選の結果を保留球として記憶し、保留球数を１インクリメントする。
【００５８】
作動制御手段８８は、作動決定手段９０の作動開始決定の旨の信号に基づき、始動チャッカー開閉ソレノイド７０に駆動信号を送って該ソレノイド７０を作動させ、第２始動チャッカー２８を開放又は閉塞動作させる。更に作動制御手段８８は、アタッカー開閉ソレノイド７１に駆動信号を送って該ソレノイド７１を作動させ、第１、第２抽選手段８３，８４での抽選による大当たり発生時にアタッカー５を開放して所定数入賞が終了する（又は所定時間が経過する）毎に閉塞する動作を所定回数（所定ラウンド）だけ繰り返すように制御する。
【００５９】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、第２始動チャッカー２８の開閉の「条件を満たす」時とは、普通図柄抽選手段９４において第１及び第２抽選手段８３，８４の大当たり抽選とは別途行われる普通図柄抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時の全てのラウンドにおける入賞を完了した場合である。
【００６０】
作動決定手段９０は、作動判定手段８９からの判定信号を受けて、始動チャッカー開閉ソレノイド７０、アタッカー開閉ソレノイド７１の作動開始をそれぞれに決定する。
【００６１】
演出制御手段９１は、遊技制御手段８６からの指令に応答して、放音装置１２を放音駆動し、演出用照明装置８，１１、演出用照明装置５５ａ，５５ｂを発光駆動し、遊技者の聴覚や視覚に訴える演出を行う。
【００６２】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、画像表示装置３５の画面３５ａに時系列的に表示する。
【００６３】
また、始動チャッカー開閉ソレノイド７０は、作動制御手段８８から送信された駆動信号に応答してプランジャ（図示せず）を進退動作させて、第２始動チャッカー２８を開閉動作させる。アタッカー開閉ソレノイド７１は、作動制御手段８８から送信された駆動信号に応答してプランジャ（図示せず）を進退動作させて、アタッカー５を開閉動作させる。
【００６４】
放音装置１２は、演出制御手段９１の制御に従ってスピーカー（図示せず）を駆動させ、演出に応じた効果音を発する。演出用照明装置８，１１、演出用照明装置５５ａ，５５ｂは、演出制御手段９１の制御に従ってその内蔵する電飾ランプ（図示せず）を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００６５】
次に、本パチンコ機１による作用について、図９のフローチャートを併せて参照しつつ説明する。
【００６６】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や一般入賞口２５ａ，２５ｂ，２６ａ，２６ｂに適時入賞し、或いは、これらに関与せずに転動落下して、遊技領域３ａ最下部のアウト口（図示せず）から遊技盤３背面側に排出される。
【００６７】
遊技領域３ａに打ち出された遊技球の一部がワープ導入口３７ａ又はワープ導入口３７ｂに入球すると、その遊技球は、遊技球案内路５７又は遊技球案内路５８を介してステージＳに放出される。この際、例えば遊技球案内路５７側から放出された遊技球は、案内路４２を通過し、転動路３４ｂを経由して遊技球案内路５８側に転動し、ステージＳの右端から転動路４８側に落下して転動する。この際、落下案内孔３４ａに上手く落下した遊技球は高い入賞確率（略１００％）で第１始動チャッカー２７に入賞する。
【００６８】
球放出部４９から放出された遊技球は、上述のように高確率で第１始動チャッカー２７に入賞することになるが、障害釘３０への当接状況によっては入賞できないこともある。一方、落下案内孔３４ａに導入されない遊技球の多くは、ステージＳ下方に放出されて第１始動チャッカー２７とは異なる方向に落下するが、球放出部４９の上部に位置する凹部５０に上手く乗ったものは該凹部５０から第１始動チャッカー２７側に落下する。また、場合によっては、第１始動チャッカー２７とは異なる方向に落下しても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞するものもある。
【００６９】
ところで、第１及び第２始動チャッカー２７，２８や一般入賞口２５ａ，２５ｂ，２６ａ，２６ｂの何れかに遊技球が入賞した場合には、入賞判定手段８１が当該入賞を判定し、且つ入賞信号出力手段８２が入賞信号を出力する（ステップＳ２）。
【００７０】
そして、大当たり抽選で当選した場合（ステップＳ３）、第１、第２抽選手段８３，８４のうち該当する側が当たりフラグをオンすると、演出用メモリに格納された演出乱数値に基づく抽選で、大当たりの種別、つまり確変当たり又は通常当たりに対応する変動パターンが決定される。
【００７１】
これにより、ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００７２】
以上のようにして、遊技制御手段８６が、画像表示装置３５の画面３５ａに表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。この際、遊技制御手段８６から指令が出ていれば、演出制御手段９１は、画面３５ａ上の演出に合わせて、放音装置１２を放音駆動し、或いは、演出用照明装置８，１１、演出用照明装置５５ａ，５５ｂを発光駆動して、演出を盛り上げるように作動制御する。
【００７３】
そして、画像表示装置３５の画面３５ａ上に表れた抽選結果が大当たり決定である場合、作動制御手段８８は、作動決定手段９０の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００７４】
次いで、前述した実施の形態の変形例について補足して説明する。
【００７５】
パチンコ機１にあって、セルの図柄の仕上げを一層細かく行うには、遊技盤３に予め貼られたセル上に該セルと同じ材質からなる装飾シート等を重ねて貼付することなどが有効な手段となる。このことを本発明にも適用し、変形例として、ユニット部材２９ｂと遊技盤３との間にセルとは別の装飾シート等を挟持させる例を以下に挙げる。
【００７６】
例えば、ユニット部材２９ｂの底面形状となるように切り揃えた金色の装飾シートを、該ユニット部材２９ｂと遊技盤３との間に挟持させて配置すると、該装飾シートの金色が板状部材６５ｂを含むユニット部材２９ｂの表面全体に伝播され、あたかもユニット部材２９ｂが金色の素材で形成されているかのように視認できるものとなる。これにより、前述した本実施の形態にあっては、透明なユニット部材２９ｂを通してセルの図柄を視認するという態様であったが、本変形例では、装飾シートの図柄が描画されたユニット部材２９ｂを視認するという態様に、微妙にその意味合いを変えることができる。従って、このような変形例を施すことにより、前述した実施の形態とはやや異なる印象の装飾性を遊技者に対して提供できるという効果を奏することとなる。
【００７７】
なお、本変形例のように、装飾シートをユニット部材２９ｂと遊技盤３との間に挟持させなくとも、ユニット部材２９ｂを配設する位置のセルの色を予め好適なものに印刷しておくことで同様の効果が得られるものとなる。
【００７８】
以上説明した本実施の形態では、パチンコ機１が、例えば、入賞口２６ａ，２６ｂと、これらの基部を支持する板状部材６５ｂとで一体化されて形成されるユニット部材２９ｂを備えている。そして、該ユニット部材２９ｂは、透明部材によって形成され、遊技領域３ａ側の面に配置された図柄を透過させるように固着されてなる。これにより、遊技中の遊技者は、遊技盤３における遊技領域３ａ側の表面にプリントされたセルの図柄を、ユニット部材２９ｂを通して視認できるようになる。従って、セルの図柄をそのまま生かすことができることから、ユニット部材２９ｂに対して、着色、印刷、シールの貼付等の工程を加える必要がなくなり、材料の節約や製造工程の簡略化を図ることができるようになる。また、透明なユニット部材２９ｂを通してセルを視認させることにより、遊技者に対していままでにない新奇な外観を提供できることから、パチンコ機１における装飾性の向上を図ることができるものとなる。
【００７９】
また、板状部材６５ａ，６５ｂは、遊技盤３に固着された状態での遊技領域３ａ側に臨む面に造形が施されてなるので、遊技中の遊技者に対し、ユニット部材２９ａ，２９ｂを通してセルに描かれた図柄等を視認させる際に、セルの図柄と造形とによって装飾上の相乗効果を図ったり、セルの図柄があたかも立体的になったかのような奥行き感を提供したりすることができるようになる。
【００８０】
また、本実施の形態では、ユニット部材２９ａ，２９ｂと一体に形成される一般入賞口２５ａ，２５ｂ，２６ａ，２６ｂは、一般入賞口であるとして説明したが、他の第１及び第２始動チャッカー２７，２８やアタッカー５などであってもよい。従って、ユニット部材２９ａ，２９ｂ等のユニット部材に対して、上記した各種入賞口等を配設することができるとともに、配設した際には、各種入賞口等とセルの図柄とを合わせた装飾を有効に施すことができるものとなる。
【００８１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８２】
【図１】本発明の実施形態におけるパチンコ機の外部構造を示す正面図である。
【図２】センター飾りを遊技盤から取り外した状態で示す正面図である。
【図３】センター飾りの前枠体を右斜め方向からやや見下ろす状態で示す斜視図である。
【図４】図２のＡ−Ａ線に沿って断面した状態で示す側面断面図である。
【図５】ユニット部材を単体で示す斜視図である。
【図６】ユニット部材を単体で示す平面図である。
【図７】本実施形態のパチンコ機の背面構造を示す背面図である。
【図８】本パチンコ機の制御系を示すブロック図である。
【図９】本パチンコ機による作用を説明するためのフローチャートである。
【符号の説明】
【００８３】
１    遊技機（パチンコ機）
３    遊技盤
３ａ    遊技領域
５    大入賞口（アタッカー）
２５ａ，２５ｂ    入賞口（一般入賞口）、一般入賞口
２５ａ´，２５ｂ´    開口
２６ａ，２６ｂ    入賞口（一般入賞口）、一般入賞口
２６ａ´，２６ｂ´    開口
２７    始動入賞口（第１始動チャッカー）
２８    始動入賞口（第２始動チャッカー）
２９ａ，２９ｂ    入賞口ユニット（ユニット部材）
６１ａ，６１ｂ    面（平面）
６５ａ，６５ｂ    板状部材
【図１】
2008161464.tif 000003
【図２】
2008161464.tif 000004
【図３】
2008161464.tif 000005
【図４】
2008161464.tif 000006
【図５】
2008161464.tif 000007
【図６】
2008161464.tif 000008
【図７】
2008161464.tif 000009
【図８】
2008161464.tif 000010
【図９】
2008161464.tif 000011